(57)【要約】【課題】ＲＦＩＤタグ発行機およびリーダライタに関し、管理する商品の形体に合わせてＲＦＩＤタグを切り替える場合であっても発行アンテナの交換を不要にし、作業効率を向上させることを目的とする。【解決手段】ＲＦＩＤタグ発行機１は、ＲＦＩＤタグ４を所定間隔３ａごとに配置した搬送帯３と、搬送帯３によりＲＦＩＤタグ４を所定の位置まで搬送する搬送部と、搬送帯３からＲＦＩＤタグ４を分離する分離部１１と、発行アンテナ７と、発行アンテナ７を介して所定の位置に移動されたＲＦＩＤタグ４の読み取り動作または書き込み動作を行うリーダライタ６とを備え、発行アンテナ７は第１の接続端子と第２の接続端子を接続した環状のループ部と、このループ部から左右外方向にそれぞれ延長された延長部とを有する構成としている。【選択図】図１
2010079349.tif 000002
【特許請求の範囲】
【請求項１】
複数のＲＦＩＤタグを所定の間隔ごとに配置した搬送帯と、
前記搬送帯の搬送により前記ＲＦＩＤタグを所定の位置まで搬送する搬送部と、
前記搬送帯から前記ＲＦＩＤタグを分離する分離部と、
前記ＲＦＩＤタグと交信するための発行アンテナと、
この発行アンテナを介して前記所定の位置に移動された前記ＲＦＩＤタグの読み取り動作または書き込み動作を行うリーダライタとを備え、
前記発行アンテナは、第１の接続端子と第２の接続端子を電気的に接続した環状のループ部と、このループ部から左右外方向にそれぞれ延長された複数の延長部とを有する構成としたことを特徴とするＲＦＩＤタグ発行機。
【請求項２】
前記発行アンテナの前記複数の延長部は、引出部を介して前記ループ部に電気的にそれぞれ接続され、これらの引出部は、線路長が互いに異なる複数の経路から構成されていることを特徴とする請求項１に記載のＲＦＩＤタグ発行機。
【請求項３】
前記発行アンテナの前記複数の延長部はメアンダ状に形成され、これら両端の延長部は点対称形状となっていることを特徴とする請求項１または請求項２に記載のＲＦＩＤタグ発行機。
【請求項４】
前記リーダライタは、前記発行アンテナの前記第１の接続端子と前記第２の接続端子に接続されていることを特徴とする請求項１から請求項３のいずれか１項に記載のＲＦＩＤタグ発行機。
【請求項５】
第１の接続端子と第２の接続端子を電気的に接続した環状のループ部と、このループ部から左右外方向にそれぞれ延長された複数の延長部とを有する発行アンテナを備え、前記発行アンテナを介してＲＦＩＤタグの読み取り動作または書き込み動作を行うことを特徴とするリーダライタ。
【発明の詳細な説明】
【技術分野】
【０００１】
本発明は、ＲＦＩＤタグ発行機およびリーダライタに関する。
【背景技術】
【０００２】
近年、物流、商品などの管理を効率化するために、ＲＦＩＤ（Ｒａｄｉｏ  Ｆｒｅｑｕｅｎｃｙ  ＩＤｅｎｔｉｆｉｃａｔｉｏｎ）タグが利用されている。例えば、ＲＦＩＤタグ付きラベルを商品に貼付し、このＲＦＩＤタグ付きラベルのタグ情報を使って商品を管理し、配送先別に仕分けするなどしていた。
【０００３】
このような中で、ＲＦＩＤタグ付きラベルを量産するためのＲＦＩＤタグ発行機がある。例えば、従来のＲＦＩＤタグ発行機は、搬送帯に複数のＲＦＩＤタグが所定間隔で配置されているものをロール状に巻き取って用意しておき、この搬送帯上のＲＦＩＤタグを搬送部により所定の位置にあるＲＦＩＤ発行アンテナまで搬送していた。そして、リーダライタは発行アンテナを介してＲＦＩＤタグの読み出し動作または書き込み動作を行っていた（例えば、特許文献１参照）。
【特許文献１】特開２００６−３３８１７９号公報
【発明の開示】
【発明が解決しようとする課題】
【０００４】
従来のＲＦＩＤタグ発行機は、管理する商品の形体に合わせてＲＦＩＤタグを切り替えたときに発行アンテナも交換する必要があった。すなわち、従来のＲＦＩＤタグ発行機に装着されている発行アンテナがダイポール型アンテナの場合には、ダイポール型アンテナを有するＲＦＩＤタグの読み書きはできるが、ループ型アンテナを有するＲＦＩＤタグの読み書きができないという課題があった。
【０００５】
そこで本発明は、管理する商品の形体に合わせてＲＦＩＤタグを切り替える場合であっても発行アンテナの交換を不要にし、これにより作業効率を向上させることを目的とする。
【課題を解決するための手段】
【０００６】
この目的を達成するために本発明のＲＦＩＤタグ発行機は、複数のＲＦＩＤタグを所定の間隔ごとに配置した搬送帯と、搬送帯の搬送によりＲＦＩＤタグを所定の位置まで搬送する搬送部と、搬送帯からＲＦＩＤタグを分離する分離部と、ＲＦＩＤタグと交信するための発行アンテナと、この発行アンテナを介して所定の位置に移動されたＲＦＩＤタグの読み取り動作または書き込み動作を行うリーダライタとを備え、発行アンテナは、第１の接続端子と第２の接続端子を電気的に接続した環状のループ部と、このループ部から左右外方向にそれぞれ延長された複数の延長部とを有する構成としたことを特徴とする。これにより、所期の目的を達成するものである。
【０００７】
また、本発明のリーダライタは、第１の接続端子と第２の接続端子を電気的に接続した環状のループ部と、このループ部から左右外方向にそれぞれ延長された複数の延長部とを有する発行アンテナを備え、発行アンテナを介してＲＦＩＤタグの読み取り動作または書き込み動作を行うことを特徴とする。これにより、所期の目的を達成するものである。
【発明の効果】
【０００８】
以上のように本発明のＲＦＩＤタグ発行機は、ＲＦＩＤタグと交信するための発行アンテナと、発行アンテナを介して所定の位置に移動されたＲＦＩＤタグの読み取り動作または書き込み動作を行うリーダライタとを備え、発行アンテナは、第１の接続端子と第２の接続端子を電気的に接続した環状のループ部と、このループ部から左右外方向にそれぞれ延長された複数の延長部とを有する構成としたので、発行アンテナのループ部により磁界を発生させてループ型アンテナで構成されるＲＦＩＤタグの読み書きを行い、延長部により電界を発生させてダイポール型アンテナで構成されるＲＦＩＤタグの読み書きを行うことができる。これにより、管理する商品の形体に合わせてＲＦＩＤタグを切り替える場合であっても発行アンテナの交換を不要にし、これにより作業効率を向上させることができる。
【０００９】
また、本発明のリーダライタは、第１の接続端子と第２の接続端子を電気的に接続した環状のループ部と、このループ部から左右外方向にそれぞれ延長された複数の延長部とを有する発行アンテナを備え、発行アンテナを介してＲＦＩＤタグの読み取り動作または書き込み動作を行うので、発行アンテナのループ部により磁界を発生させてループ型アンテナで構成されるＲＦＩＤタグの読み書きを行い、延長部により電界を発生させてダイポール型アンテナで構成されるＲＦＩＤタグの読み書きを行うことができる。これにより、管理する商品の形体に合わせてＲＦＩＤタグを切り替える場合であっても発行アンテナの交換を不要にし、これにより作業効率を向上させることができる。
【発明を実施するための最良の形態】
【００１０】
以下、本発明の実施の形態について、図面を用いて詳細に説明する。
【００１１】
（実施の形態）
まず、図１から図７を参照しながら、本発明の実施の形態におけるＲＦＩＤタグ発行機１について説明する。
【００１２】
図１は本発明の実施の形態におけるＲＦＩＤタグ発行機１の正面断面図、図２は同ＲＦＩＤタグ発行機で使用される搬送帯３の正面図、図３は同搬送帯３に配置されるＲＦＩＤタグの例を示すものであり、図３（ａ）はダイポール型アンテナ４ａで構成されるＲＦＩＤタグ４の例を示す正面図、図３（ｂ）はループ型アンテナ５ａで構成されるＲＦＩＤタグ５の例を示す正面図、図４は同ＲＦＩＤタグ発行機に係る商品１４の例を示すものであり、図４（ａ）は同商品１４の斜視図、図４（ｂ）は同商品１４の他の例の斜視図、図５は同ＲＦＩＤタグ発行機１の発行アンテナ７の正面図、図６は同ＲＦＩＤタグ発行機１の発行アンテナ７の電場の状態を示す斜視図、図７は同ＲＦＩＤタグ発行機１の発行アンテナ７の磁場の状態を示す斜視図である。
【００１３】
図１に示すように、ＲＦＩＤタグ発行機１は、本体ケース２内にリール１３が回転自在に設けられている。このリール１３には搬送帯３が巻きつけられており、この搬送帯３の先端はテンションローラ部９を介し、搬送部としてのプラテンローラ８により本体ケース２の側面側に設けた発行口１２へと搬送される構造となっている。
【００１４】
搬送帯３は、その上面側に所定間隔３ａをおいて複数のＲＦＩＤタグ４が設けられているので、搬送帯３を介してプラテンローラ８とは反対側近傍（上方近傍）には、このプラテンローラ８に対向するように、例えば印字ヘッドよりなる印刷部１０が設けられている。
【００１５】
プラテンローラ８と印刷部１０は対向位置で、しかも近傍に配置されている。例えば、印刷部１０の搬送帯３に接触する部分は、プラテンローラ８が搬送帯３に接触する部分よりも、発行口１２側に配置している。発行口１２の手前に設けた分離部１１は、金属製の切断刃により構成されており、この切断刃により搬送帯３の所定間隔３ａの部分を切断する。これにより、分離部１１は搬送帯３からＲＦＩＤタグ４を分離する。
【００１６】
また、リーダライタ６は、搬送帯３の送りによりＲＦＩＤタグ４が所定の位置、すなわち、発行アンテナ７が設置されている位置まで搬送されると、発行アンテナ７を介してＲＦＩＤタグ４の読み取り動作または書き込み動作を行う。
【００１７】
搬送帯３には、図２に示すように、帯状の搬送体３ｃの上に複数のＲＦＩＤタグ４が所定間隔３ａの隙間をあけて配置されている。そして、リール１３に搬送帯３が巻きつけられている。ＲＦＩＤタグ４の所定のデータの読み書きおよび印刷がなされた後、分離部１１は所定間隔３ａの隙間の部分を切断する。
【００１８】
ＲＦＩＤタグ４としては、ラベル印刷可能なものを使用することができる。ＲＦＩＤタグ４としては、印刷部１０により印刷面に視覚ＩＤ情報３ｂにバーコード、商品情報などが印刷される。
【００１９】
以上のような構成により、ＲＦＩＤタグ発行機１は、管理する商品の形体に合わせたＲＦＩＤタグ４を発行することができる。
【００２０】
ここで、本実施の形態の理解を助けるために事前に考えられる従来例を説明する。ＲＦＩＤタグ発行機１では、図３（ａ）および図３（ｂ）に示すように、商品の様々な形状、大きさなどの形体に合わせたＲＦＩＤタグ４を発行する必要がある。例えば、管理する商品１４が、図４（ａ）に示す書籍の場合、書籍の背表紙に貼付しやすい、図３（ａ）に示すような、ダイポール型アンテナ４ａとタグＩＣチップ４ｂとで構成されたＲＦＩＤタグ４が用いられる。また、管理する商品１４が図４（ｂ）に示す薬を入れる小瓶などである場合、ＲＦＩＤタグ４に代えて小瓶の底面に貼付しやすい、図３（ｂ）に示すような、ループ型アンテナ５ａとタグＩＣチップ５ｂとで構成されるＲＦＩＤタグ５が用いられる。
【００２１】
このようにＲＦＩＤタグ発行機１は、管理する様々な商品の形体に対応させたＲＦＩＤタグ４、５を発行する必要がある。このため、従来のＲＦＩＤタグ発行機は、管理する商品１４が変わるごとに、発行アンテナ７の交換を行っていた。これにより、作業者の作業効率が低下するといった問題があった。
【００２２】
そこで本実施の形態のＲＦＩＤタグ発行機１では、管理する商品１４の形体に合わせてＲＦＩＤタグ４またはＲＦＩＤタグ５に切り替える場合であっても発行アンテナ７の交換を不要にした。すなわち、図５に示すように、発行アンテナ７は、第１の接続端子１８ａと第２の接続端子１８ｂを電気的に接続した環状（ループＣ）のループ部１８と、このループ部１８から左右外方向にそれぞれ延長された延長部１６ｃ、１７ｃとを有する構成としている。
【００２３】
これにより、後述するように、発行アンテナ７のループ部１８から磁界を発生させてループ型アンテナ５ａで構成されるＲＦＩＤタグ５の読み書きを行い、延長部１６ｃ、１７ｃにより電界を発生させてダイポール型アンテナ４ａで構成されるＲＦＩＤタグ４の読み書きを行うことができる。これにより、管理する商品１４の形体に合わせてＲＦＩＤタグ４またはＲＦＩＤタグ５に切り替える場合であっても発行アンテナ７の切り替え作業を不要にし、これにより作業者の作業効率を向上させるものである。
【００２４】
次に、図５を参照しながら、この発行アンテナ７の構成についてさらに詳細に説明する。
【００２５】
発行アンテナ７は、図５に示すように、表裏面の２枚のシート１５内に密封された左右のアンテナ１６、１７を有している。このアンテナ１６、１７は、第１の接続端子１８ａと第２の接続端子１８ｂを電気的に接続した環状のループ部１８から左右外方向にそれぞれ配置されている。
【００２６】
そして、第１の接続端子１８ａと第２の接続端子１８ｂがリーダライタ６に電気的に接続され、給電される。
【００２７】
また、延長部１６ｃ、１７ｃはメアンダ状にしているが、延長部１６ｃ、１７ｃは点対称形状とし、発行アンテナ７の指向性の対称性を確保している。
【００２８】
発行アンテナ７は、図５中において、アンテナ１６は、ループ部１８から引出部１６ａ、１６ｂを介して延長部１６ｃに接続する構成にした。アンテナ１７はループ部１８から引出部１７ａ、１７ｂを介して延長部１７ｃと接続する構成にした。そして、引出部１６ａ、１７ｂは直線状、引出部１６ｂ、１７ａは屈曲状に構成している。このように、アンテナ１６に線路長が互いに異なる２つの引出部１６ａ、１６ｂ、アンテナ１７に線路長が互いに異なる２つの引出部１７ａ、１７ｂを設けたので、広帯域化することができる。
【００２９】
このように構成することにより、発行アンテナ７は各種ＲＦＩＤタグ４、５の大きさや形状が切り替えられても、広帯域化されたアンテナ特性を活用することにより、対応できるようにしている。
【００３０】
なお、ＲＦＩＤタグ４の形体が大きく異なることがなければ、ループ部１８と延長部１６ｃ、ループ部１８と延長部１７ｃとをそれぞれ直接に接続するようにしてもよい。
【００３１】
また、第１の接続端子１８ａと第２の接続端子１８ｂに、さらに別のループ部を設けて、インピーダンスを整合させるようにしてもよい。また、インダクタンスやキャパシタンスを接続してインピーダンスを調整するようにしてもよい。
【００３２】
次に、図６および図７を参照しながら、発行アンテナ７で発生させる電磁界の状態について説明する。
【００３３】
図６に示すように、発行アンテナ７は、後述するリーダライタ６に設けられているキャパシタンスやインダクタンスからなる整合部３０により、リーダライタ６の出力とのインピーダンスの整合が行われ、延長部１６ｃ、１７ｃの領域７ａに強い電界１９が発生する。キャパシタンスとしてチップコンデンサ、インダクタンスとしてチップコイルなどを使用することができる。リーダライタ６は、延長部１６ｃ、１７ｃで発生する電界１９により、発行アンテナ７を介してダイポール型アンテナ４ａで構成されるＲＦＩＤタグ４の読み書きを行うことができる。また、発行アンテナ７では、図７に示すように、ループ部１８の領域７ｂに強い磁界２０が発生する。リーダライタ６は、ループ部１８で発生するこの磁界２０により、発行アンテナ７を介してループ型アンテナ５ａで構成されるＲＦＩＤタグ５の読み書きを行うことができる。
【００３４】
これにより、管理する商品１４の形体に合わせてＲＦＩＤタグ４またはＲＦＩＤタグ５を切り替える場合であっても、発行アンテナ７の交換作業を不要にし、これにより作業者の作業効率を向上させることができる。
【００３５】
次に、図８を参照しながら、ＲＦＩＤタグ発行機１の動作について説明する。図８は、本発明の実施の形態のＲＦＩＤタグ発行機１の回路ブロック図である。図８に示すようにＲＦＩＤタグ発行機１は、発行アンテナ７には整合部３０、サーキュレータ２１、パワーアンプ２２、ＲＦフロントエンド部２３、信号処理部２４、無線制御部２５を介して制御部２６が接続されている。また、制御部２６には入力部２７、表示部２８、電源部２９、既述の印刷部１０、分離部１１、プラテンローラ８を駆動する駆動モータ３１が接続されている。さらに、ＲＦＩＤタグ４のタグＩＣチップ４ｂ内には、ＩＤメモリ４ｃが設けられている。
【００３６】
このような構成により、ＲＦＩＤタグ発行機１は、図２に示す搬送帯３上のＲＦＩＤタグ４を密封したシート１５の表面に視覚ＩＤ情報３ｂの印刷と、タグＩＣチップ４ｂへの電子ＩＤ情報の記録を行う。すなわち、プラテンローラ８により搬送帯３の先端を発行口１２の方向へと搬送し、図１に示す発行アンテナ７の上側（所定の位置）にＲＦＩＤタグ４が搬送された状態で、リーダライタ６が発行アンテナ７を介してＲＦＩＤタグ４と無線通信（問い合わせ信号の送信および応答信号の受信）し、これによりタグＩＣチップ４ｂのＩＤメモリ４ｃ内に電子ＩＤ情報を記録する。
【００３７】
そして、図１の状態からプラテンローラ８を正転させながら、そこよりもわずかに下流にある印刷部１０により視覚ＩＤ情報３ｂを図２のようにＲＦＩＤタグ４が配置されているシート１５の表面に印刷する。その後、これら電子ＩＤ情報の記録と、視覚ＩＤ情報３ｂの印刷が終了した状態で、ＲＦＩＤタグ４の切断部分（例えば、図１、図２の所定間隔３ａ）が分離部１１の真上にくるまでプラテンローラ８で搬送帯３を搬送し、次に分離部１１を上昇させて電子ＩＤ情報の記録と、視覚ＩＤ情報３ｂの印刷が終了したＲＦＩＤタグ４を切断して分離する。
【００３８】
搬送帯３に設けた複数のＲＦＩＤタグ４に、連続的に電子ＩＤ情報の記録と、視覚ＩＤ情報３ｂの印刷を行う場合には、上記動作を連続的に行う。
【００３９】
次に、図９を参照しながら、発行アンテナ７を備えたリーダライタ３２の例について説明する。図９は、本発明の実施の形態の発行アンテナ７を備えたリーダライタ３２の例を示す斜視図である。
【００４０】
図９に示すように、リーダライタ３２は、先端部の平面に発行アンテナ７を設けている。そして、リーダライタ３２は発行アンテナ７を介してＲＦＩＤタグ４やＲＦＩＤタグ５を読み取る。これにより、リーダライタ３２は、ループ部１８により磁界を発生させて、発行アンテナ７を介してループ型アンテナ５ａで構成されるＲＦＩＤタグ５の読み書きを行う。また、リーダライタ３２は、アンテナ１６、１７の延長部１６ｃ、１７ｃにより電界を発生させて、発行アンテナ７を介してダイポール型アンテナ４ａで構成されるＲＦＩＤタグ４の読み書きを行う。
【００４１】
なお、リーダライタ３２は、ＲＦＩＤタグ４、５のタグ情報を表示する表示部３２ｂ、入力部３２ａおよび電源部３２ｃを有している。これにより、作業者は入力部３２ａで読み取り操作をしながら表示部３２ｂでタグ情報の確認をしたりして商品１４に係るタグ情報を読み取ることができる。また、内蔵可能な電池などの電源部３２ｃを備えることで、リーダライタ３２をどこにでも携帯することができる。これにより、作業者の作業効率をさらに向上させることができる。
【００４２】
以上のように本実施の形態によれば、ＲＦＩＤタグ発行機１は、ＲＦＩＤタグ４またはＲＦＩＤタグ５を所定間隔３ａごとに配置した搬送帯３と、搬送帯３の送りによりＲＦＩＤタグ４またはＲＦＩＤタグ５を所定の位置まで搬送する搬送部としてのプラテンローラ８と、搬送帯３からＲＦＩＤタグ４またはＲＦＩＤタグ５を分離する分離部１１と、発行アンテナ７と、発行アンテナ７を介して所定の位置に移動されたＲＦＩＤタグ４またはＲＦＩＤタグ５の読み取り動作または書き込み動作を行うリーダライタ６とを備え、ＲＦＩＤタグ４またはＲＦＩＤタグ５と交信するための発行アンテナ７は、第１の接続端子１８ａと第２の接続端子１８ｂを電気的に接続した環状のループ部１８と、このループ部１８から左右外方向にそれぞれ延長された延長部１６ｃ、１７ｃとを有する構成としている。
【００４３】
これにより、ＲＦＩＤタグ発行機１は、発行アンテナ７のループ部１８により磁界を発生させてループ型アンテナ５ａで構成されるＲＦＩＤタグ５の読み書きを行い、アンテナ１６、１７の延長部１６ｃ、１７ｃにより電界を発生させてダイポール型アンテナ４ａで構成されるＲＦＩＤタグ４の読み書きを行うことができる。これにより、管理する商品１４の形体に合わせてＲＦＩＤタグ４またはＲＦＩＤタグ５を切り替える場合であっても発行アンテナ７の交換を不要にし、作業効率を向上させることができる。
【００４４】
また、本実施の形態のリーダライタ３２は発行アンテナ７を備え、発行アンテナ７を介してＲＦＩＤタグ４を読み取るので、発行アンテナ７のループ部１８により磁界を発生させてループ型アンテナ５ａで構成されるＲＦＩＤタグ５の読み書きを行い、アンテナ１６、１７の延長部１６ｃ、１７ｃにより電界を発生させてダイポール型アンテナ４ａで構成されるＲＦＩＤタグ４の読み書きを行うことができる。これにより、管理する商品１４の形体に合わせてＲＦＩＤタグ４またはＲＦＩＤタグ５を切り替える場合であっても発行アンテナ７の交換を不要にし、作業者の読み取りの作業効率を向上させることができる。
【００４５】
また、本実施の形態では、ループ部１８と線路長が互いに異なる２つの引出部１６ａ、１６ｂを介して延長部１６ｃとを接続し、ループ部１８と線路長が互いに異なる２つの引出部１７ａ、１７ｂを介して延長部１７ｃとを接続する構成とした。これにより、発行アンテナ７のアンテナ特性を広帯域化でき、各種ＲＦＩＤタグ４、５の大きさや形状が切り替えられても、広帯域化されたアンテナ特性を活用することにより、対応できる。
【産業上の利用可能性】
【００４６】
以上のように本発明は、リーダライタが第１の接続端子と第２の接続端子を電気的に接続した環状のループ部と、このループ部から左右外方向にそれぞれ延長された複数の延長部とを有する構成とした発行アンテナを介してＲＦＩＤタグの読み取り動作または書き込み動作を行うので、管理する商品の形体に合わせてＲＦＩＤタグを切り替える場合であっても発行アンテナの交換を不要にし、作業効率を向上させることを可能とするＲＦＩＤタグ発行機、リーダライタなどに有用である。
【図面の簡単な説明】
【００４７】
【図１】本発明の実施の形態におけるＲＦＩＤタグ発行機の正面断面図
【図２】同ＲＦＩＤタグ発行機で使用される搬送帯の正面図
【図３】（ａ）は同搬送帯に配置されるダイポール型アンテナで構成されるＲＦＩＤタグの例を示す正面図、（ｂ）は同搬送帯に配置されるループ型アンテナで構成されるＲＦＩＤタグの例を示す正面図
【図４】（ａ）は同ＲＦＩＤタグ発行機に係る商品の斜視図、（ｂ）は同ＲＦＩＤタグ発行機に係る商品の他の例の斜視図
【図５】同ＲＦＩＤタグ発行機の発行アンテナの正面図
【図６】同ＲＦＩＤタグ発行機の発行アンテナの電場の状態を示す斜視図
【図７】同ＲＦＩＤタグ発行機の発行アンテナの磁場の状態を示す斜視図
【図８】同ＲＦＩＤタグ発行機の回路ブロック図
【図９】本発明の実施の形態の発行アンテナを備えたリーダライタの例を示す斜視図
【符号の説明】
【００４８】
１    ＲＦＩＤタグ発行機
２    本体ケース
３    搬送帯
３ａ    所定間隔
３ｂ    視覚ＩＤ情報
３ｃ    搬送体
４，５    ＲＦＩＤタグ
４ａ    ダイポール型アンテナ
４ｂ，５ｂ    タグＩＣチップ
４ｃ    ＩＤメモリ
５ａ    ループ型アンテナ
６，３２    リーダライタ
７    発行アンテナ
８    プラテンローラ
９    テンションローラ部
１０    印刷部
１１    分離部
１２    発行口
１３    リール
１４    商品
１５    シート
１６，１７    アンテナ
１６ａ，１６ｂ，１７ａ，１７ｂ    引出部
１６ｃ，１７ｃ    延長部
１８    ループ部
１８ａ，１８ｂ    接続端子
２１    サーキュレータ
２２    パワーアンプ
２３    ＲＦフロントエンド部
２４    信号処理部
２５    無線制御部
２６    制御部
２７，３２ａ    入力部
２８，３２ｂ    表示部
２９，３２ｃ    電源部
３０    整合部
３１    駆動モータ
【図１】
2010079349.tif 000003
【図２】
2010079349.tif 000004
【図３】
2010079349.tif 000005
【図４】
2010079349.tif 000006
【図５】
2010079349.tif 000007
【図６】
2010079349.tif 000008
【図７】
2010079349.tif 000009
【図８】
2010079349.tif 000010
【図９】
2010079349.tif 000011